(57)【要約】【課題】静電吸引方式の吐出ヘッドにおいてノズルの目詰まりを回復させることのできる液体吐出装置を提供する。【解決手段】  先端から液滴を吐出するノズル６ａを有する吐出ヘッド６と、吐出ヘッド６と記録媒体との間に電界を形成する吐出電圧印加手段８と、ノズル６内の溶液がその先端から凸状に盛り上がった状態を形成するメニスカス形成手段７と、メニスカス形成手段７を駆動する駆動電圧の印加及び吐出電圧印加手段８による吐出電圧の印加を制御する動作制御手段１１と、を備えることを特徴とする液体吐出装置１において、動作制御手段１１は、吐出ヘッド６のメンテナンスの際には、吐出電圧の印加を停止させた状態で、駆動電圧を印加させてノズル６ａに凸状のメニスカスを形成させてから、ノズル６ａのメニスカス面の変動に合わせて吐出電圧の印加を行わせるように制御することを特徴とする。【選択図】図１
2006168264.tif 000002
【特許請求の範囲】
【請求項１】
記録媒体に対向し、先端から液滴を吐出するノズルを有する吐出ヘッドと、
前記吐出ヘッドと記録媒体との間に電界を形成する吐出電圧印加手段と、
前記ノズル内の溶液の先端面を変動させるメニスカス形成手段と、
前記メニスカス形成手段を駆動する駆動電圧の印加及び吐出電圧印加手段による吐出電圧の印加を制御する動作制御手段と、
を備えることを特徴とする液体吐出装置において、
前記動作制御手段は、前記吐出ヘッドのメンテナンスの開始の際には、前記吐出電圧の印加を停止させ、前記メンテナンスの際には、前記駆動電圧及び前記吐出電圧を印加させるように制御することを特徴とする液体吐出装置。
【請求項２】
前記動作制御手段は、前記メンテナンスの際には、前記駆動電圧を印加させて前記ノズル内の溶液の先端面を凸状に盛り上がった状態にさせてから、前記吐出電圧の印加を行わせるように制御することを特徴とする請求項１に記載の液体吐出装置。
【請求項３】
前記動作制御手段は、前記メンテナンスの際には、前記駆動電圧及び前記吐出電圧の印加を同時に行わせるように制御することを特徴とする請求項１に記載の液体吐出装置。
【請求項４】
前記動作制御手段は、前記メンテナンスの際には、前記駆動電圧の印加を停止させてから前記吐出電圧の印加を停止させるように制御することを特徴とする請求項１〜３のいずれか一項に記載の液体吐出装置。
【請求項５】
前記記録媒体は接地されており、
前記吐出電圧印加手段は前記ノズル内の溶液に吐出電圧を印加することで、前記吐出ヘッドと記録媒体との間に電界を形成することを特徴とする請求項１〜４のいずれか一項に記載の液体吐出装置。
【請求項６】
前記ノズル内の溶液は接地されており、
前記吐出電圧印加手段は前記記録媒体に吐出電圧を印加することで、前記吐出ヘッドと記録媒体との間に電界を形成することを特徴とする請求項１〜４のいずれか一項に記載の液体吐出装置。
【請求項７】
前記ノズルの内部直径は、１５［μm］以下であることを特徴とする請求項１〜６のいずれか一項に記載の液体吐出装置。
【請求項８】
前記ノズルの先端は、前記吐出ヘッドの吐出面から記録媒体側に向けて凸状に突出するように設けられていることを特徴とする請求項１〜７のいずれか一項に記載の液体吐出装置。
【請求項９】
前記ノズルの先端は、前記吐出ヘッドの吐出面と略同一面に設けられていることを特徴とする請求項１〜７のいずれか一項に記載の液体吐出装置。
【請求項１０】
前記動作制御手段は、吐出ヘッドが非印画領域に対向している際に、前記メンテナンスを行わせるように制御することを特徴とする請求項１〜９のいずれか一項に記載の液体吐出装置。
【請求項１１】
前記ノズルの目詰まりを検知するノズル欠検知機構を備えており、
前記動作制御手段は、前記ノズル欠検知機構が前記ノズルの目詰まりを検知した際に、前記メンテナンスを行わせるように制御することを特徴とする請求項１〜１０のいずれか一項に記載の液体吐出装置。
【請求項１２】
前記吐出電圧印加手段は、画像記録の際とメンテナンスの際とで印加する吐出電圧の値を変更可能であることを特徴とする請求項１〜１１のいずれか一項に記載の液体吐出装置。
【発明の詳細な説明】
【技術分野】
【０００１】
本発明は、液体吐出装置に係り、特に、インク液滴を吐出させる液体吐出装置及び液体吐出方法に関する。
【背景技術】
【０００２】
従来から、液滴を吐出させる技術として、ノズル内の溶液を帯電させ、ノズルと液滴の着弾を受ける記録媒体との間に形成される電界から受ける静電吸引力により吐出させるいわゆる静電吸引方式の液滴吐出技術が知られている（特許文献１〜２参照）。
【０００３】
かかる液体吐出装置は、先端部からインクを吐出するノズルを備える吐出ヘッドを備えている。この吐出ヘッドは、ノズル内の溶液に吐出電圧を印加する吐出電圧印加手段と、ノズル内の溶液がその先端部から凸状に盛り上がった凸状メニスカスを形成するメニスカス形成手段と、このメニスカス形成手段を駆動する駆動電圧の印加及び前記吐出電圧印加手段による吐出電圧の印加を制御する動作制御手段と、を備えている。
【０００４】
このような構成の液体吐出装置において、動作制御手段は、吐出電圧印加手段により吐出電圧を継続的に印加させている際に、駆動電圧を印加させてメニスカス形成手段を駆動させて、凸状メニスカスの形成と液滴の吐出とを行うようになっている（図５参照）。つまり、吐出電圧が継続的に印加されている状態で、駆動電圧を瞬間的に印加するとノズル先端部に凸状メニスカスが形成される。そして、その状態において駆動電圧を再び瞬間的に印加すると、凸状メニスカスの先端に働く静電気力が表面張力を上回り、ノズルから液滴が吐出される。
【特許文献１】特開２００２−１２７４２８号公報
【特許文献２】特開２００４−１６５５８７号公報
【発明の開示】
【発明が解決しようとする課題】
【０００５】
このような従来の液体吐出装置にあっては、得られる画像の画質向上のために、ノズルの微細化が進んでいるが、長時間吐出を行わない場合、ノズルが微細化されているためノズル内の乾燥がより速く進行し、目詰まりが発生してしまうという問題がある。また、顔料成分を含むインク溶液などを吐出させる場合、吐出電圧が継続的に印加されてノズル内に静電気力が働いたまま長時間放置すると、ノズル先端側に顔料成分が凝集してしまい、インク粘度が増粘・固着してしまうという問題があった（図９参照）。
【０００６】
ここで、従来から、液体吐出装置においては、ノズルの目詰まりを回復させるメンテナンス方法が数多く開発されている。そのようなメンテナンス方法としては、吸引機構により吐出ヘッドのノズルを覆いノズル内の付着物を吸引するものや、記録媒体以外の非印画領域に空吐出を行うものなどがある。
【０００７】
しかしながら、ノズルは微細化されているので、吸引機構のようにノズルに接近させる機構は、ノズルの形状に関わらずその破損を防止するために、高精度のものが要求されるため製造コストが嵩むうえに装置全体が大型化されてしまうという問題があった。また、微細化されたノズルの場合、乾燥性が高くノズルの目詰まりが強固になるため、通常の液滴吐出動作を記録媒体以外の場所で行う空吐出のみでは、ノズルの目詰まりが完全に回復されないという問題もあった。
【０００８】
そこで、本発明はこのような点に鑑みてなされたものであり、静電吸引方式の吐出ヘッドにおいてノズルの目詰まりが発生した場合、簡易な構成で完全に目詰まりを回復させることのできる液体吐出装置を提供することを目的とするものである。
【課題を解決するための手段】
【０００９】
前記課題を解決するために、請求項１に記載の発明は、
記録媒体に対向し、先端から液滴を吐出するノズルを有する吐出ヘッドと、
前記吐出ヘッドと記録媒体との間に電界を形成する吐出電圧印加手段と、
前記ノズル内の溶液の先端面を変動させるメニスカス形成手段と、
前記メニスカス形成手段を駆動する駆動電圧の印加及び吐出電圧印加手段による吐出電圧の印加を制御する動作制御手段と、
を備えることを特徴とする液体吐出装置において、
前記動作制御手段は、前記吐出ヘッドのメンテナンスの開始の際には、前記吐出電圧の印加を停止させ、前記メンテナンスの際には、前記駆動電圧及び前記吐出電圧を印加させるように制御することを特徴とする。
【００１０】
請求項１に記載の発明によれば、動作制御手段は、吐出ヘッドのメンテナンスの開始の際には吐出電圧の印加を停止させるようになっている。従って、吐出電圧の印加の停止により、ノズルの先端側に顔料成分を引き寄せる静電吸引力が無くなり、ノズル内での顔料成分の拡散が起こり、ノズル内の液滴が容易に変動する。
また、動作制御手段は、メンテナンスの際には、駆動電圧を印加させてノズル内の溶液に正の圧力を加え、ノズル内の溶液の先端面が変動するのに合わせて吐出電圧を印加させて液滴を吐出させるようになっている。従って、ノズル内の溶液により大きな圧力の変動をかけながら液滴を吐出させることができる。
ここで、ノズル内の溶液にかかる圧力には、正の圧力と負の圧力とがあり、正の圧力とはノズル内の溶液の先端面を凸状に盛り上げる方向にかかる圧力のことであり、一方、負の圧力とは前記先端面をノズル内側に引き込ませる方向にかかる圧力のことである。
【００１１】
請求項２に記載の発明は、請求項１に記載に発明であって、
前記動作制御手段は、前記メンテナンスの際には、前記駆動電圧を印加させて前記ノズル内の溶液の先端面を凸状に盛り上がった状態にさせてから、前記吐出電圧の印加を行わせるように制御することを特徴とする。
【００１２】
請求項２に記載の発明によれば、動作制御手段は、メンテナンスの際には、吐出電圧の印加を停止させた状態で、駆動電圧を印加させてノズル内の溶液の先端面を凸状に盛り上がった状態にしてから、前記吐出電圧の印加を行わせて、液滴を吐出させるようになっている。従って、ノズル内の溶液により大きな圧力の変動をかけながら液滴を吐出させることができる。
【００１３】
請求項３に記載の発明は、請求項１に記載に発明であって、
前記動作制御手段は、前記メンテナンスの際には、前記駆動電圧及び前記吐出電圧の印加を同時に行わせるように制御することを特徴とする。
【００１４】
請求項３に記載の発明によれば、動作制御手段は、メンテナンスの際には、駆動電圧を印加させると同時に吐出電圧を印加させて、ノズル内の溶液の先端面を凸状に盛り上がった状態にして液滴を吐出させるようになっている。従って、駆動電圧の印加を複数に分けることなくノズル内の溶液により大きな圧力の変動をかけながら液滴を吐出させることができる。
【００１５】
請求項４に記載の発明は、請求項１〜３のいすれか一項に記載の発明であって、
前記動作制御手段は、前記メンテナンスの際には、前記駆動電圧の印加を停止させてから前記吐出電圧の印加を停止させるように制御することを特徴とする。
【００１６】
請求項４に記載の発明によれば、動作制御手段は、メンテナンスの際には、駆動電圧の印加を停止させてから吐出電圧の印加を停止させるようになっている。従って、液滴が吐出した後により大きな圧力の変動をかけることができ、キレの良い液滴を吐出させることができる。
【００１７】
請求項５に記載の発明は、請求項１〜４のいずれか一項に記載の発明であって、
前記記録媒体は接地されており、
前記吐出電圧印加手段は前記ノズル内の溶液に吐出電圧を印加することで、前記吐出ヘッドと記録媒体との間に電界を形成することを特徴とする。
【００１８】
請求項５に記載の発明によれば、記録媒体は接地されているので接地電位を維持しているとともに、ノズル内の溶液は吐出電圧の印加により帯電されている。従って、吐出ヘッドのノズル先端部と対向する記録媒体との間には電界が生じ、この電界により生じた静電吸引力がノズルから吐出された液滴を記録媒体側に誘導する。
【００１９】
請求項６に記載の発明は、請求項１〜４のいずれか一項に記載の発明であって、
前記ノズル内の溶液は接地されており、
前記吐出電圧印加手段は前記記録媒体に吐出電圧を印加することで、前記吐出ヘッドと記録媒体との間に電界を形成することを特徴とする。
【００２０】
請求項６に記載の発明によれば、ノズル内の溶液は接地されているので接地電位を維持しているとともに、記録媒体は吐出電圧の印加により帯電されている。従って、吐出ヘッドのノズル先端部と対向する記録媒体との間には電界が生じ、この電界により生じた静電吸引力がノズルから吐出された液滴を記録媒体側に誘導する。
【００２１】
請求項７に記載の発明は、請求項１〜６のいずれか一項に記載の発明であって、
前記ノズルの内部直径は、１５［μm］以下であることを特徴とする。
【００２２】
請求項７に記載の発明によれば、吐出ヘッドに設けられているノズルはその内径が１５［μｍ］以下の微細ノズルであるので、記録媒体の特性の影響を受けずに安定した液滴の吐出が可能である反面、ノズル内部の乾燥や付着物などにより目詰まりが発生しやすい。従って、このようなノズルにおいて目詰まりが発生しても、ノズル内の付着物を除去してノズルの目詰まりを完全に回復させることができる。
ここで、ノズルの内径とは、ノズルの吐出側先端部における溶液流路の内部直径を示すものとする。なお、ノズル内の溶液流路の断面形状は円形に限定されるものではない。例えば、溶液流路の断面形状が多角形、星形その他の形状である場合にはその断面形状の外接円が１５［μｍ］以下となることを示すものとする。
【００２３】
請求項８に記載の発明は、請求項１〜７のいずれか一項に記載の発明であって、
前記ノズルの先端は、前記吐出ヘッドの吐出面から記録媒体側に向けて凸状に突出するように設けられていることを特徴とする。
【００２４】
請求項８に記載の発明によれば、ノズルの先端は吐出ヘッドの吐出面から記録媒体側に向けて凸状に突出するように設けられているので、ノズルの先端に吐出ヘッドと記録媒体との間の電界を集中させることができ、インク液滴を確実に吐出させることができる。
【００２５】
請求項９に記載の発明は、請求項１〜７のいずれか一項に記載の発明であって、
前記ノズルの先端は、前記吐出ヘッドの吐出面と略同一面に設けられていることを特徴とする。
【００２６】
請求項９に記載の発明によれば、ノズルの先端は吐出ヘッドの吐出面と略同一面に設けられているので、吐出面を略均一に形成することができる。従って、吐出面に他の構成部品が接触してしまうことがあっても、その接触によりノズル先端が破損することを防止することができる。
【００２７】
請求項１０に記載の発明は、請求項１〜９のいずれか一項に記載の発明であって、
前記動作制御手段は、吐出ヘッドが非印画領域に対向している際に、前記メンテナンスを行わせるように制御することを特徴とする。
【００２８】
請求項１０に記載の発明によれば、メンテナンスは吐出ヘッドが非印画領域に対向している際に行われるので、装置にメンテナンス機構を別途設ける必要がなく、装置の小型化が可能である。
【００２９】
請求項１１に記載の発明は、請求項１〜１０のいずれか一項に記載の発明であって、
前記ノズルの目詰まりを検知するノズル欠検知機構を備えており、
前記動作制御手段は、前記ノズル欠検知機構が前記ノズルの目詰まりを検知した際に、前記メンテナンスを行わせるように制御することを特徴とする。
【００３０】
請求項１１に記載の発明によれば、ノズルの目詰まりが発生した際に、適宜メンテナンスを行うことができるので、ノズル内の付着物が固着してしまう前に速やかに除去することができるとともに、所定時間ごとにメンテナンスを行う必要がなく画像記録にかかる時間の短縮化が可能である。
【００３１】
請求項１２に記載の発明は、請求項１〜１１のいずれか一項に記載の発明であって、
前記吐出電圧印加手段は、画像記録の際とメンテナンスの際とで印加する吐出電圧の値を変更可能であることを特徴とする。
【００３２】
請求項１２に記載の発明によれば、メンテナンスの際には画像記録の際より大きな吐出電圧を印加することにより、より強固なノズルの目詰まりも確実に回復させることができる。
【発明の効果】
【００３３】
請求項１に記載の発明によれば、メンテナンスの際に、ノズル内の顔料成分を拡散させて液滴を容易に吐出させることができる。また、ノズル内の溶液により大きな圧力の変動をかけながら液滴を吐出させることができるので、ノズルの目詰まりが発生している場合でも、ノズル内の付着物を液滴とともに吐出させることができる。従って、ノズルの目詰まりを完全に解消することができる。
【００３４】
請求項２に記載の発明によれば、ノズル内の溶液により大きな圧力の変動をかけながら液滴を吐出させることができるので、ノズルの目詰まりが発生している場合でも、ノズル内の付着物を液滴とともに吐出させることができる。従って、ノズルの目詰まりを完全に解消することができる。
【００３５】
請求項３に記載の発明によれば、ノズル内の溶液により大きな圧力の変動をかけながら液滴を吐出させることができるので、ノズルの目詰まりが発生している場合でも、ノズル内の付着物を液滴とともに吐出させることができる。従って、凸状メニスカスにかかる正の圧力と静電吸引圧力との圧力損失が少なく効率的であり、ノズルの目詰まりを完全に解消することができる。
【００３６】
請求項４に記載の発明によれば、メンテナンスの際に、液滴の吐出後にノズル内の溶液の先端面により大きな圧力の変動をかけることができるので、液滴のキレを良くすることができる。従って、ノズル内の付着物を液滴とともに吐出して完全に除去し、ノズルの目詰まりを解消することができる。
【００３７】
請求項５に記載の発明によれば、帯電した液滴の電荷は記録媒体への着弾により逃がすことができるとともに、ノズルから吐出された帯電した液滴は記録媒体側に誘導されて、より正確な位置に着弾することができる。従って、高画質の画像を得ることができる。
【００３８】
請求項６に記載の発明によれば、ノズルから吐出された液滴は記録媒体側に誘導され、より正確な位置に着弾することができる。従って、高画質の画像を得ることができる。
【００３９】
請求項７に記載の発明によれば、吐出ヘッドに設けられているノズルはその内径が１５［μｍ］以下の微細ノズルであるが、ノズル内の付着物を除去してノズルの目詰まりを完全に回復させ、安定した液滴の吐出を行うことができる。
【００４０】
請求項８に記載の発明によれば、ノズルの先端に電界を集中させることができ、インク液滴を確実に吐出させることができるので、高画質の画像を得ることができる。
【００４１】
請求項９に記載の発明によれば、ノズルを有する吐出面を略均一に形成することができ、ノズル先端の破損を防止することができる。
【００４２】
請求項１０に記載の発明によれば、メンテナンスは吐出ヘッドが非印画領域に対向している際に行われるので、装置にメンテナンス機構を別途設ける必要がなく、装置の小型化が可能である。
【００４３】
請求項１１に記載の発明によれば、ノズルの目詰まりが発生した際に、適宜メンテナンスを行うことができるので、ノズル内の付着物が固着してしまう前に速やかに除去することができるとともに、所定時間ごとにメンテナンスを行う必要がなく画像記録にかかる時間の短縮化が可能である。
【００４４】
請求項１２に記載の発明によれば、メンテナンスの際には画像記録の際より大きな吐出電圧を印加することにより、より強固なノズルの目詰まりも確実に回復させることができる。
【発明を実施するための最良の形態】
【００４５】
以下に、本発明に係る液体吐出装置の実施の形態について、図面を参照して説明する。ただし、発明の範囲を図示例に限定するものではない。
【００４６】
図１は本実施形態にかかる液体吐出装置１の要部構成図である。液体吐出装置１はいわゆるシリアルヘッド方式の液体吐出装置１であり、インク液滴を記録媒体に向けて吐出して画像記録を行うようになっている。
【００４７】
液体吐出装置１には、記録媒体を非記録面から支持しつつ搬送方向Ｙに搬送する環状の搬送ベルト２ａが備えられている。搬送ベルト２ａの内側であって、記録媒体に対向する位置には、搬送ベルト２ａを介して記録媒体に静電圧を印加する平板状の対向電極３が備えられている。本実施形態においては、図２に示すように、対向電極３は接地されており常に接地電位を維持している。
【００４８】
また、搬送ベルト２ａの内側には、搬送ベルト２ａの張力を保つと同時に搬送ベルト２ａを搬送させる搬送ローラ２ｂが、対向電極３の搬送方向Ｙの上流と下流及び対向電極３の下方に回動自在に備えられている。搬送機構２は搬送ベルト２ａ及び搬送ローラ２ｂからなり、図示しないモータなどによる搬送ローラ２ｂの回動により、搬送ベルト２ａを介して記録媒体が搬送されるようになっている。
【００４９】
搬送機構２の上方には、記録媒体の幅方向に延在する棒状のガイドレール４が備えられている。ガイドレール４には、キャリッジ５が記録媒体の幅方向（走査方向Ｘ）に往復移動自在に備えられている。キャリッジ５には、記録媒体に所定の画像情報に基づいてインクを吐出させて記録を行う吐出ヘッド６など画像記録に必要な部材が搭載されている。
【００５０】
図２は、吐出ヘッド６と記録媒体との構成及び電気的接続を示す概略図であり、後述するノズル６ａの縦断面図である。吐出ヘッド６の記録媒体に対向する面には、記録媒体との距離が略１［ｍｍ］になるように吐出面６ｂが設けられている。吐出面６ｂには、インク液滴を吐出する複数のノズル６ａが設けられている。各ノズル６ａの内部には、インク溶液が流れる流路６ｃが備えられており、その先端部の内部直径は１０［μｍ］である。
【００５１】
ここで、本発明にかかる液滴吐出装置に用いるノズル６ａの内径について説明する。図３に示すのは、各吐出電圧条件下においてノズル６ａの内径と発生する電界強度との関係を示す線図である。ここで、吐出電圧が３［ｋＶ］を超えると、ノズル６ａの先端において放電現象が起こってしまうという点と、ノズル６ａの先端に電界が集中するために必要な電界強度は３×１０７［Ｖ／ｍ］以上であるという点を考慮すると、ノズル６ａの内径は１５［μｍ］以下であることが好ましい。
【００５２】
図２に示すように本実施形態においては、ノズル６ａの先端は、吐出面６ｂから記録媒体側に向けて凸状に突出するように設けられている。従って、ノズル６ａの先端に吐出ヘッド６と記録媒体との間の電界を集中させることができ、インク液滴を確実に吐出させることができる。
【００５３】
ここで、ノズル６ａの先端は、吐出ヘッド６の吐出面６ｂと略同一面に設けられていることとしてもよい。この場合、吐出ヘッド６の吐出面６ｂを略均一に形成することができる。従って、吐出面６ｂに他の構成部品が接触してしまうことがあっても、その接触によりノズル６ａの先端が破損することを防止することができる。
【００５４】
吐出ヘッド６の内部であって流路６ｃの他端には、流路６ｃにインクを供給する供給室６ｄが備えられている。供給室６ｄには、各吐出ヘッド６に備えられた所定のインクを貯蔵するインクタンク（図示せず）が連通されている。また、供給室６ｄの外壁は弾性素材からなり、その内部容積を変動させることができるようになっている。さらに、供給室６ｄには、流路６ｃのインクの先端面を変動させるメニスカス形成手段７が備えられている。メニスカス形成手段７は、供給室６ｄに絶縁層６ｅを介して変形自在のピエゾ素子７ａを備えている。また、メニスカス形成手段７は、ピエゾ素子７ａを変形させる駆動電圧を印加する駆動電圧電源７ｂを備えており、ピエゾ素子７ａを介して供給室６ｄの内部容積を変動させて流路６ｃのインクの先端面を変動させるようになっている。
【００５５】
供給室６ｄと流路６ｃとの間には、供給室６ｄから流路６ｃに供給されるインクを帯電させる吐出電極８ａが備えられている。吐出電極８ａには吐出電圧を印加する吐出電圧電源８ｂが接続されている。本実施形態にかかる吐出電圧印加手段８は、吐出電極８ａ及び吐出電圧電源８ｂからなり、ノズル６ａ内のインクに吐出電圧による電荷を帯電させるようになっている。
【００５６】
ここで、本実施形態においては、吐出ヘッド６に吐出電圧印加手段８を設け、インク溶液を帯電させて記録媒体を接地させる構成としたが、吐出ヘッド６と記録媒体との間に電界が発生していればよく、前記構成に限定されない。従って、本実施形態とは逆に、ノズル６ａ側を接地させインク溶液を接地電位に維持し、記録媒体に吐出電圧を印加させる構成としてもよい。このような構成においても、吐出ヘッド６と記録媒体との間には液滴を記録媒体側に誘導する電界が発生するので、記録媒体の特性に応じて吐出電圧の印加部位を適宜選択することができる。
【００５７】
またここで、吐出電圧電源８ｂによる吐出電圧は、メニスカス形成手段７によりノズル６ａ内の溶液の先端面が凸状のメニスカスとされた際に、液滴の吐出が可能となる範囲の静電吸引力を発生させる電圧を印加するようにその値が設定されている。
この吐出電圧電源８ｂにより印加を行う吐出電圧は、理論上は、次式（１）により求められる（次式（１）の誘導過程については、特許文献２参照）。
【数１】
2006168264.tif 000003
ただし、γ：溶液の表面張力（Ｎ／ｍ）、ε０：真空の誘電率（Ｆ／ｍ）、ｄ：ノズル直径（ｍ）、ｈ：ノズル−基材間距離（ｍ）、ｋ：ノズル形状に依存する比例定数（１．５＜ｋ＜８．５）とする。
なお、上記条件は理論値であり、実際は、凸状メニスカスの形成時と非形成時における試験を行い、適宜な電圧値を求めてもよい。そこで、本実施形態においては１［ｋｖ］の吐出電圧を印加するものとする。
【００５８】
図１に示すように、走査方向Ｘにおけるキャリッジ５の移動範囲であって、搬送ベルト２ａの側部には、メンテナンスの際にキャリッジ５が対向するメンテナンス機構９が備えられている。メンテナンス機構９は、メンテナンスの際に吐出ヘッド６から吐出された液滴を受けるようになっている。また、メンテナンス機構９には、ノズル６ａに目詰まりが発生しているか否かを判断するノズル欠検知機構１０が備えられている。
【００５９】
図２及び図４に示すように、液体吐出装置１には、搬送機構２、キャリッジ５、吐出電圧印加手段８、メニスカス形成手段７、ノズル欠検知機構１０などに電気的に接続されるとともにこれらを制御する動作制御手段１１が設けられている。動作制御手段１１は、ＣＰＵ１１ａ、ＲＯＭ１１ｂ、ＲＡＭ１１ｃなどからなり、ＲＯＭ１１ｂに記録された処理プログラムをＲＡＭ１１ｃに展開してＣＰＵ１１ａによりこの処理プログラムを実行するものである。
【００６０】
動作制御手段１１は、画像記録の際には、キャリッジ５が走査方向Ｘに往復移動するように制御しつつ、キャリッジ５の移動に合わせて搬送機構２に記録媒体を間欠的に搬送させるようになっている。また、図５に示すように、動作制御手段１１は、所定の信号に基づいて記録媒体上にインク液滴を吐出するように、吐出電圧印加手段８が所定の吐出電圧を継続的に印加させつつ、メニスカス形成手段７を駆動する駆動電圧を瞬間的に印加させるようになっている。
【００６１】
動作制御手段１１は、電源投入から所定の時間が経過する毎、所定箇所に設けられた異常検知手段が異常を検知した場合又は手動操作などによって、ノズル欠検知機構１０がノズル６ａに目詰まりが発生しているか否かを判断するようになっている。この際、動作制御手段１１は、キャリッジ５をノズル欠検知機構１０に対向する位置に移動させるとともに、画像記録の際と同様にインク液滴を吐出させて、ノズル欠検知機構１０にインク吐出の有無を検知させている。
ここで、ノズル欠検知機構１０はノズル６ａからのインク液滴の吐出の有無を判断するものとしたが、ノズル欠検知機構はインク液滴の吐出速度及び吐出方向を検知するセンサなどを備えるものとして、動作制御手段１１は前記センサの検知結果からノズル６ａ内の付着物の有無を判断するものとしてもよい。
【００６２】
動作制御手段１１は、吐出ヘッド６のメンテナンスの際には、キャリッジ５をメンテナンス機構９に対向する位置に移動させるようになっている。また、図６に示すように、吐出電圧印加手段８による吐出電圧の印加を停止させた後に、メニスカス形成手段７を駆動する駆動電圧を瞬間的に印加させて、ノズル６ａに凸状のメニスカスを形成させるようになっている。さらにその後、メニスカス形成手段７を駆動する駆動電圧を印加してメニスカス面に正の圧力をかけるとともに、この圧力を受けたことによるメニスカス面の変動のタイミングに合わせて吐出電圧印加手段８により吐出電圧を印加するようになっている。
【００６３】
ここで、動作制御手段１１は、駆動電圧電源７ｂによる駆動電圧の値を適宜変更させることができるようになっている。そこで、本実施形態においては、動作制御手段１１は２０［Ｖ］の駆動電圧を印加させてノズル６ａの先端に凸状のメニスカスを形成させるようになっている。また、３０［Ｖ］の駆動電圧を印加させてノズル６ａ内の溶液の先端面により強い正の圧力をかけるとともに、吐出電圧を印加させて液滴を吐出させるようになっている。前記駆動電圧の電圧値は吐出電圧等同様に、吐出する溶液、記録ヘッド及び環境条件によって最適値が変動するものであり、前記電圧値に限定されない。
【００６４】
また、本実施形態においては、まず駆動電圧を印加させてノズル６ａに凸状のメニスカスを形成させてから、吐出電圧と駆動電圧の印加を同時に行うことで液滴を吐出させている。つまり、駆動電圧を二回印加して液滴を吐出させているが、一回の駆動電圧の印加で凸状のメニスカスを形成させて液滴を吐出させることも可能である。その場合、駆動電圧を印加させて凸状のメニスカスを形成させるのと同時に吐出電圧の印加を行い、液滴を吐出させる。
【００６５】
また、本実施形態においては、凸状のメニスカスが形成された状態において駆動電圧を印加させるとすぐにインク液滴が吐出するようになっているので、動作制御手段１１は、駆動電圧の印加と吐出電圧の印加とを同時に行わせるようになっている。しかしながら、インク溶液の粘度などの特性によってメニスカス面の変動は異なるため、駆動電圧を印加してからメニスカス面が変動するのに要する時間も異なってくる。その場合、動作制御手段１１は画像記録の際に、駆動電圧の印加とメニスカス面変動との関係をセンサなどにより検知して、メンテナンスの際の吐出電圧の印加のタイミングを調整するものとしてもよい。
【００６６】
次に、本発明において吐出される溶液について説明する。本実施形態において吐出される溶液は画像記録のためのインクであり、水５２％、エチレングリコール２２％、プロピレングリコール２２％、界面活性剤１％及び顔料成分としてＣＩアシッドレッド１を３％含有する。
【００６７】
ここで、本発明は画像記録以外の用途にも適用可能であり、吐出される溶液は前記インクに限られない。吐出される溶液として例えば、無機溶液としては、水、ＣＯＣｌ2、ＨＢｒ、ＨＮＯ3、Ｈ3ＰＯ4、Ｈ2ＳＯ4、ＳＯＣｌ2、ＳＯ2Ｃｌ2、ＦＳＯ3Ｈなどが挙げられる。有機溶液としては、メタノール、ｎ−プロパノール、イソプロパノール、ｎ−ブタノール、２−メチル−１−プロパノール、ｔｅｒｔ−ブタノール、４−メチル−２−ペンタノール、ベンジルアルコール、α−テルピネオール、エチレングリコール、グリセリン、ジエチレングリコール、トリエチレングリコールなどのアルコール類；フェノール、ｏ−クレゾール、ｍ−クレゾール、ｐ−クレゾール、などのフェノール類；ジオキサン、フルフラール、エチレングリコールジメチルエーテル、メチルセロソルブ、エチルセロソルブ、ブチルセロソルブ、エチルカルビトール、ブチルカルビトール、ブチルカルビトールアセテート、エピクロロヒドリンなどのエーテル類；アセトン、メチルエチルケトン、２−メチル−４−ペンタノン、アセトフェノンなどのケトン類；ギ酸、酢酸、ジクロロ酢酸、トリクロロ酢酸などの脂肪酸類；ギ酸メチル、ギ酸エチル、酢酸メチル、酢酸エチル、酢酸−ｎ−ブチル、酢酸イソブチル、酢酸−３−メトキシブチル、酢酸−ｎ−ペンチル、プロピオン酸エチル、乳酸エチル、安息香酸メチル、マロン酸ジエチル、フタル酸ジメチル、フタル酸ジエチル、炭酸ジエチル、炭酸エチレン、炭酸プロピレン、セロソルブアセテート、ブチルカルビトールアセテート、アセト酢酸エチル、シアノ酢酸メチル、シアノ酢酸エチルなどのエステル類；ニトロメタン、ニトロベンゼン、アセトニトリル、プロピオニトリル、スクシノニトリル、バレロニトリル、ベンゾニトリル、エチルアミン、ジエチルアミン、エチレンジアミン、アニリン、Ｎ−メチルアニリン、Ｎ，Ｎ−ジメチルアニリン、ｏ−トルイジン、ｐ−トルイジン、ピペリジン、ピリジン、α−ピコリン、２，６−ルチジン、キノリン、プロピレンジアミン、ホルムアミド、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ−メチルプロピオンアミド、Ｎ，Ｎ，Ｎ'，Ｎ'−テトラメチル尿素、Ｎ−メチルピロリドンなどの含窒素化合物類；ジメチルスルホキシド、スルホランなどの含硫黄化合物類；ベンゼン、ｐ−シメン、ナフタレン、シクロヘキシルベンゼン、シクロヘキセンなどの炭化水素類；１，１−ジクロロエタン、１，２−ジクロロエタン、１，１，１−トリクロロエタン、１，１，１，２−テトラクロロエタン、１，１，２，２−テトラクロロエタン、ペンタクロロエタン、１，２−ジクロロエチレン（ｃｉｓ−）、テトラクロロエチレン、２−クロロブタン、１−クロロ−２−メチルプロパン、２−クロロ−２−メチルプロパン、ブロモメタン、トリブロモメタン、１−ブロモプロパンなどのハロゲン化炭化水素類、などが挙げられる。また、上記各溶液を二種以上混合して用いてもよい。
【００６８】
さらに、高電気伝導率の物質（銀粉等）が多く含まれるような導電性ペーストを溶液として使用し、吐出を行う場合には、上述した溶液に溶解又は分散させる目的物質としては、ノズル６ａで目詰まりを発生するような粗大粒子を除けば、特に制限されない。ＰＤＰ、ＣＲＴ、ＦＥＤなどの蛍光体としては、従来より知られているものを特に制限なく用いることができる。例えば、赤色蛍光体として、（Ｙ，Ｇｄ）ＢＯ3：Ｅｕ、ＹＯ3：Ｅｕなど、緑色蛍光体として、Ｚｎ2ＳｉＯ4：Ｍｎ、ＢａＡｌ12Ｏ19：Ｍｎ、（Ｂａ，Ｓｒ，Ｍｇ）Ｏ・α−Ａｌ2Ｏ3：Ｍｎなど、青色蛍光体として、ＢａＭｇＡｌ14Ｏ23：Ｅｕ、ＢａＭｇＡｌ10Ｏ17：Ｅｕなどが挙げられる。上記の目的物質を記録媒体上に強固に接着させるために、各種バインダーを添加するのが好ましい。用いられるバインダーとしては、例えば、エチルセルロース、メチルセルロース、ニトロセルロース、酢酸セルロース、ヒドロキシエチルセルロース等のセルロースおよびその誘導体；アルキッド樹脂；ポリメタクリタクリル酸、ポリメチルメタクリレート、２−エチルヘキシルメタクリレート・メタクリル酸共重合体、ラウリルメタクリレート・２−ヒドロキシエチルメタクリレート共重合体などの（メタ）アクリル樹脂およびその金属塩；ポリＮ−イソプロピルアクリルアミド、ポリＮ，Ｎ−ジメチルアクリルアミドなどのポリ（メタ）アクリルアミド樹脂；ポリスチレン、アクリロニトリル・スチレン共重合体、スチレン・マレイン酸共重合体、スチレン・イソプレン共重合体などのスチレン系樹脂；スチレン・ｎ−ブチルメタクリレート共重合体などのスチレン・アクリル樹脂；飽和、不飽和の各種ポリエステル樹脂；ポリプロピレン等のポリオレフィン系樹脂；ポリ塩化ビニル、ポリ塩化ビニリデン等のハロゲン化ポリマー；ポリ酢酸ビニル、塩化ビニル・酢酸ビニル共重合体等のビニル系樹脂；ポリカーボネート樹脂；エポキシ系樹脂；ポリウレタン系樹脂；ポリビニルホルマール、ポリビニルブチラール、ポリビニルアセタール等のポリアセタール樹脂；エチレン・酢酸ビニル共重合体、エチレン・エチルアクリレート共重合樹脂などのポリエチレン系樹脂；ベンゾグアナミン等のアミド樹脂；尿素樹脂；メラミン樹脂；ポリビニルアルコール樹脂及びそのアニオンカチオン変性；ポリビニルピロリドンおよびその共重合体；ポリエチレンオキサイド、カルボキシル化ポリエチレンオキサイド等のアルキレンオキシド単独重合体、共重合体及び架橋体；ポリエチレングリコール、ポリプロピレングリコールなどのポリアルキレングリコール；ポリエーテルポリオール；ＳＢＲ、ＮＢＲラテックス；デキストリン；アルギン酸ナトリウム；ゼラチン及びその誘導体、カゼイン、トロロアオイ、トラガントガム、プルラン、アラビアゴム、ローカストビーンガム、グアガム、ペクチン、カラギニン、にかわ、アルブミン、各種澱粉類、コーンスターチ、こんにゃく、ふのり、寒天、大豆蛋白等の天然或いは半合成樹脂；テルペン樹脂；ケトン樹脂；ロジン及びロジンエステル；ポリビニルメチルエーテル、ポリエチレンイミン、ポリスチレンスルフォン酸、ポリビニルスルフォン酸などを用いることができる。これらの樹脂は、ホモポリマーとしてだけでなく、相溶す���範囲でブレンドして用いてもよい。
【００６９】
液体吐出装置１をパターンニング方法に使用する場合には、代表的なものとしてはディスプレイ用途に使用することができる。具体的には、プラズマディスプレイの蛍光体の形成、プラズマディスプレイのリブの形成、プラズマディスプレイの電極の形成、ＣＲＴの蛍光体の形成、ＦＥＤ（フィールドエミッション型ディスプレイ）の蛍光体の形成、ＦＥＤのリブの形成、液晶ディスプレイ用カラーフィルター（ＲＧＢ着色層、ブラックマトリクス層）、液晶ディスプレイ用スペーサー（ブラックマトリクスに対応したパターン、ドットパターン等）などが挙げることができる。ここでいうリブとは一般的に障壁を意味し、プラズマディスプレイを例に取ると各色のプラズマ領域を分離するために用いられる。その他の用途としては、マイクロレンズ、半導体用途として磁性体、強誘電体、導電性ペースト（配線、アンテナ）などのパターンニング塗布、グラフィック用途としては、通常印刷、特殊媒体（フィルム、布、鋼板など）への印刷、曲面印刷、各種印刷版の刷版、加工用途としては粘着材、封止材などの本発明を用いた塗布、バイオ、医療用途としては医薬品（微量の成分を複数混合するような）、遺伝子診断用試料等の塗布等に応用することができる。
【００７０】
次に、本実施形態における液体吐出装置１の作用について説明する。
【００７１】
まず、液体吐出装置１に所定の画像情報が送られると、記録媒体は搬送機構２により搬送方向Ｙへと間欠的に搬送される。
記録媒体の搬送を停止させる毎に、キャリッジ５は記録媒体の直上を走査方向Ｘに往復移動する。キャリッジ５に搭載された吐出ヘッド６は記録媒体の直上を移動しながら、所定のインク液滴を記録媒体に吐出する。つまり、吐出電圧印加手段８は所定の吐出電圧を吐出電極８ａに継続的に印加して、吐出電極８ａを介して流路６ｃのインク溶液を継続的に帯電させる。すると、吐出ヘッド６と記録媒体との間に電界が生じて、インク溶液に記録媒体側への静電吸引力がかかる。この状態でメニスカス形成手段７を駆動する駆動電圧を瞬間的に印加することにより、インク先端面が凸状のメニスカスにされるとともにインク液滴が吐出される。この一連の動作を繰り返して画像を形成する（図５参照）。
【００７２】
電源投入から所定の時間が経過する毎、所定箇所に設けられた異常検知手段が異常を検知した場合又は手動操作などによって、ノズル欠検知機構１０はノズル６ａに目詰まりが発生しているか否かを判断する。つまり、キャリッジ５はノズル欠検知機構１０に対向する位置に移動し、対象となる吐出ヘッド６のノズル６ａから前記動作によってインク液滴が吐出される。ノズル欠検知機構１０は吐出されたインク液滴の吐出の有無を検知し、インク液滴の吐出が検知されない場合には、ノズル６ａに目詰まりが発生しているものと判断する。
【００７３】
続いて、ノズル欠検知機構１０によりノズル６ａの目詰まりが検知された場合には、吐出ヘッド６のメンテナンスが開始される。以下、本実施形態におけるメンテナンスについて図６に基づいて説明する。
【００７４】
まず、動作制御手段１１はキャリッジ５をメンテナンス機構９に対向する位置に移動させる。また、吐出電圧印加手段８に吐出電圧の印加を停止させる。吐出電圧の印加の停止により、ノズル６ａの先端側に顔料成分を引き寄せる静電吸引力が無くなり、ノズル６ａ内のインク溶液中で顔料成分（図９参照）の拡散が起こる。
【００７５】
次に、動作制御手段１１は、駆動電圧電源７ｂにより駆動電圧を瞬間的に印加して、メニスカス形成手段７を駆動させる。具体的には、まず、駆動電圧を印加するとピエゾ素子７ａが変形する。ピエゾ素子７ａは絶縁層６ｅを介して弾性素材からなる供給室６ｄに装着されているので、ピエゾ素子７ａが供給室６ｄの内部容積を縮小する方向に変動すると、供給室６ｄの内部容積が縮小した分だけインク溶液が供給室６ｄから流路６ｃに供給される。そして、ノズル６ａの流路６ｃの先端からインク溶液が凸状に盛り上がり、凸状メニスカスとなる。
【００７６】
続いて、動作制御手段１１は、駆動電圧を印加するとともにノズル６ａ内のインク先端面の変動に合わせて吐出電圧を印加する。つまり、駆動電圧電源７ｂにより駆動電圧が印加されてメニスカス形成手段７が駆動して、インク先端面に正の圧力がかかる。そして、インク先端面が変動する際に、吐出電圧印加手段８は吐出電圧電源８ｂにより吐出電圧の印加を開始して、吐出電極８ａを介してノズル６ａ内部のインクを帯電させ、インク溶液に記録媒体側への静電吸引力をかける。すると、ノズル６ａ内部の付着物がインク液滴とともにメンテナンス機構９に向けて吐出され、同時に、吐出電圧印加手段８は吐出電圧の印加を停止する。
【００７７】
このようにして、メンテナンスの際には、ノズル６ａ内のインク先端面の変動に合わせて吐出電圧を印加させることにより、吐出電圧を継続的に印加する画像記録の際よりも、液滴吐出前後のインク先端面にかかる圧力の変動が大きくなり、ノズル６ａの内部に付着していた付着物などをより容易に除去することができる。従って、ノズル６ａの付着物が除去されてインク液滴と共に吐出することができるので、ノズル６ａの目詰まりを完全に回復させることができる。
【００７８】
また、吐出電圧の印加を停止させてから液滴の吐出を行うことで、ノズル６ａの先端部に引き寄せられて凝集していたインク溶液の顔料成分の拡散が起こりやすくなる。よって、吐出電圧を継続的に印加させて液滴の吐出を行うより、ノズル６ａの目詰まりを容易に回復することができるので、インク液滴の吐出を長期間安定に行うことができる。
【００７９】
また、ノズル６ａの目詰まりが発生した際にメンテナンスを行うので、ノズル６ａ内の付着物が固着してしまう前に速やかに除去することができるとともに、所定時間ごとにメンテナンスを行う必要がなく画像記録にかかる時間の短縮化が可能である。
【００８０】
さらに、吐出電圧電源８ｂは画像記録の際とメンテナンスの際とにおいて印加する電圧値を切り換え可能であるので、例えば、画像記録の際には１［ｋＶ］の吐出電圧とし、メンテナンスの際には２［ｋＶ］の吐出電圧とするなど、メンテナンスの際には画像記録の際より大きい値の吐出電圧を印加することにより、静電吸引力がより強くなるため、より強固なノズル６ａの目詰まりも確実に回復させることができる。
【００８１】
また、本実施形態においては、吐出ヘッド６がメンテナンス機構９に対向してからメンテナンスを行うこととしたが、メンテナンスは吐出ヘッド６が記録媒体の非印画領域に対向している際に行われていればよく、搬送ベルト２ａにメンテナンス領域１２を設けることとしてもよい。この場合、メンテナンス機構９を搬送ベルト２ａと別途設ける必要がなく、装置の小型化が可能である。
【００８２】
メンテナンス領域１２を搬送ベルト２ａに備える液体吐出装置の一例として、図７に示すようなラインヘッド方式の液体吐出装置１３が挙げられる。
図７に示すように、液体吐出装置１３においては、前記実施形態と異なり、記録媒体の幅方向に延在する複数の吐出ヘッド６を備えることを特徴とする。搬送ベルト２ａには、記録媒体とメンテナンス領域１２とが搭載されており、搬送方向Ｙに搬送され順次吐出ヘッド６に対向するようになっている（図８参照）。動作制御手段１１は吐出ヘッド６にメンテナンス領域１２が対向した際に、前記実施形態と同様のメンテナンスを行うように吐出電圧印加手段８及びメニスカス形成手段７を制御している。
【００８３】
このような構成にすることにより、液体吐出装置１３においては、搬送ベルト２ａの側部にメンテナンス領域１２を別途設ける必要がなく、また、吐出ヘッド６を走査方向Ｘに移動させる必要もなく、ラインヘッド方式の液体吐出装置１３においても吐出ヘッド６のメンテナンスを行うことが可能である。
【図面の簡単な説明】
【００８４】
【図１】本実施形態における液体吐出装置を示す要部構成図である。
【図２】本実施形態における液体吐出装置のノズルに沿った断面図である。
【図３】ノズル内径と電界強度との関係を示す線図である。
【図４】本実施形態における回路構成を示すブロック図である。
【図５】本実施形態における液体吐出装置の画像記録時における吐出電圧と駆動電圧のタイミングチャートである。
【図６】本実施形態における液体吐出装置のメンテナンス時における吐出電圧と駆動電圧のタイミングチャートである。
【図７】他の実施形態における液体吐出装置を示す要部構成図である。
【図８】他の実施形態における搬送ベルトの平面図とその搬送に対応する吐出電圧のタイミングチャートである。
【図９】ノズルの目詰まりを示すノズルの断面図である。
【符号の説明】
【００８５】
１     液体吐出装置
２     搬送機構
３     対向電極
６     吐出ヘッド
６ａ   ノズル
６ｂ   吐出面
７     メニスカス形成手段
７ａ   ピエゾ素子
７ｂ   駆動電圧電源
８     吐出電圧印加手段
８ａ   吐出電極
８ｂ   吐出電圧電源
９     メンテナンス機構
１０   ノズル欠検知機構
１１   動作制御手段
１２   メンテナンス領域
【図１】
2006168264.tif 000004
【図２】
2006168264.tif 000005
【図３】
2006168264.tif 000006
【図４】
2006168264.tif 000007
【図５】
2006168264.tif 000008
【図６】
2006168264.tif 000009
【図７】
2006168264.tif 000010
【図８】
2006168264.tif 000011
【図９】
2006168264.tif 000012